(57)【要約】【課題】簡単な回路構成で、蛍光表示管による表示のチラツキを低減して高品質の表示を行うことができる表示装置を提供する。【解決手段】アノード電極１３３、グリッド電極１３２、およびカソード電極（フィラメント１３１）を含む蛍光表示管１３と、蛍光表示管１３のグリッド電極１３２へ出力するグリッド信号ＧＲ１（ＧＲ２）のパルス制御を行う制御回路１４と、グリッド信号および蛍光表示管１３のフィラメント１３１に出力するフィラメント駆動信号Ｓ１３１のパルス制御を行うフィラメント駆動制御部１５とを設けたので、簡単な回路構成で、蛍光表示管による表示のチラツキを低減して高品質の表示を行うことができる。【選択図】図１
2006171493.tif 000002
【特許請求の範囲】
【請求項１】
カソード電極、グリッド電極、および前記カソード電極から出力される電子を前記グリッド電極を介して受けて発光する蛍光体が形成された、複数のセグメント毎に設けられたアノード電極を含む蛍光表示手段と、
入力された制御信号に応じて、前記蛍光表示手段のグリッド電極へ出力するグリッド信号のパルス制御を行う制御手段と、
前記制御手段から出力された前記グリッド信号に基づいて、前記カソード電極に出力する駆動パルス信号のパルス制御を行うカソード駆動手段と
を有する表示装置。
【請求項２】
前記カソード駆動手段は、前記グリッド信号のパルス幅に応じて、前記カソード電極へ略一定の電力を供給するように、前記カソード電極に出力する前記駆動パルス信号のレベルを制御する
請求項１に記載の表示装置。
【請求項３】
前記蛍光表示手段は、第１のグリッド電極、および第２のグリッド電極を含み、
前記制御手段は、入力された前記制御信号に応じて、前記第１および第２のグリッド電極それぞれに出力する第１および第２のグリッド信号のパルス幅を制御し、
前記カソード駆動手段は、前記入力された制御信号、および前記第１および第２のグリッド信号のパルス幅に応じて、前記カソード電極へ略一定の電力を供給するように、前記カソード電極に出力する前記駆動パルス信号のレベルを制御する
請求項２に記載の表示装置。
【請求項４】
前記カソード駆動手段は、入力された制御信号のレベルおよび前記グリッド信号のパルス幅に基づいて、前記カソードに出力するカソード駆動パルス信号のレベルを制御する
請求項１から請求項３のいずれか一に記載の表示装置。
【請求項５】
前記カソード駆動手段は、
前記カソード電極に接続されたスイッチと、
前記制御信号に基づいて前記スイッチを介して前記カソード電極に出力するカソード駆動パルス信号のレベルを制御するパルスレベル制御手段と、
前記グリッド信号のパルス幅に基づいて前記スイッチを制御して前記カソードに出力するカソード駆動パルス信号のパルス幅を制御する前記パルス幅設定部と
を含む
請求項１から４のいずれか一に記載の表示装置。
【発明の詳細な説明】
【技術分野】
【０００１】
本発明は、たとえば、時刻表示を行う蛍光表示管を有する表示装置に関する。
【背景技術】
【０００２】
たとえば、時刻表示を行う蛍光表示管を有する車載用表示装置が知られている（たとえば、特許文献１参照）。
一般的な装置では、ＡＣフィラメントを備える蛍光表示管を駆動する場合には、たとえば時刻表示用の駆動回路とは別に設けられたフィラメント発振回路が生成したパルス信号により蛍光表示管のフィラメントを駆動する。
【特許文献１】特開平９−２４０２６０号公報
【発明の開示】
【発明が解決しようとする課題】
【０００３】
しかし、上述した一般的な装置では、蛍光表示管用時計ＩＣとは別に、フィラメント駆動用の発振回路を設けるために、コスト実装スペースを縮小することが困難であった。
また、フィラメントに印加する駆動パルス信号を生成する発振回路と、グリッドに印加する駆動パルス信号を生成する回路が別であるために、たとえば、温度変化などの理由によりグリッド周波数と、フィラメント駆動用信号の周波数との間にズレが生じ、その結果、たとえば表示のチラツキ（ビート）が生じる場合がある。
【０００４】
本発明は、かかる事情に鑑みてなされたものであり、その目的は、簡単な回路構成で、蛍光表示管による表示のチラツキを低減して高品質の表示を行うことができる表示装置を提供することにある。
【課題を解決するための手段】
【０００５】
前記目的を達成するために、本発明の表示装置は、カソード電極、グリッド電極、および前記カソード電極から出力される電子を前記グリッド電極を介して受けて発光する蛍光体が形成された、複数のセグメント毎に設けられたアノード電極を含む蛍光表示手段と、入力された制御信号に応じて、前記蛍光表示手段のグリッド電極へ出力するグリッド信号のパルス制御を行う制御手段と、前記制御手段から出力された前記グリッド信号に基づいて、前記カソード電極に出力する駆動パルス信号のパルス制御を行うカソード駆動手段とを有する。
【発明の効果】
【０００６】
本発明によれば、簡単な回路構成で、蛍光表示管による表示のチラツキを低減して高品質の表示を行うことができる表示装置を提供することができる。
【発明を実施するための最良の形態】
【０００７】
〔第１実施形態〕
本実施形態に係る表示装置は、カソード電極、グリッド電極、およびカソード電極から出力される電子をグリッド電極を介して受けて発光する蛍光体が形成された、複数のセグメント毎に設けられたアノード電極を含む蛍光管と、入力された制御信号に応じて、蛍光表示管のグリッド電極へ出力するグリッド信号のパルス制御を行う制御部と、その制御部から出力されたグリッド信号に基づいて、カソード電極に出力する駆動パルス信号のパルス制御を行うカソード駆動部とを設けることで、高品質の表示を行う。
【０００８】
たとえば本発明の一実施形態に係る表示装置を採用した時刻表示を行う蛍光表示管を有する車載用表示装置を図面を参照しながら説明する。
図１は、本発明の第１実施形態に係る表示装置の回路図である。
【０００９】
図１に示すように、表示装置１は、発振部１１、スイッチ群１２、蛍光表示管（ＶＦＤ：Vacuum Fluorescent Display）１３、制御回路１４、フィラメント駆動制御部１５、電源入力端子（ＴＢＡＴ１）、アクセサリ信号入力端子（ＴＡＣＣ２）、ライト信号入力端子（ＴＬＩＧ３）、基準電位接続端子（ＴＧＮＤ４）、抵抗素子Ｒ１〜Ｒ２０、定電圧ダイオードＺ１〜Ｚ５、ダイオードＤ１〜Ｄ４、トランジスタＴｒ１〜ＴＲ６、キャパシタＣ１〜Ｃ４、電界効果トランジスタ（ＦＥＴ）、および水晶発振器ＣＲＹを有する。
【００１０】
蛍光表示管１３は、本発明に係る蛍光表示手段の一具体例に相当する。制御回路１４は、本発明に係る制御手段の一具体例に相当する。フィラメント駆動制御部１５は、本発明に係るカソード駆動手段の一具体例に相当する。
【００１１】
まず、各構成要素間の接続関係を説明する。
電源入力端子（ＴＢＡＴ１）は抵抗素子Ｒ１の一端に接続され、抵抗素子Ｒ１の他端はノードＮＤ１を介して電源電圧（ＶＤＤ）、制御回路１４の電源入力端子（ＶＤＤ）、および電源定安定化用の定電圧ダイオードＺ１のカソードに接続されている。定電圧ダイオードＺ１のアノードは基準電位に接続されている。
【００１２】
アクセサリ信号入力端子（ＴＡＣＣ２）は、ノードＮＤ２を介して抵抗素子Ｒ２の一端に接続され、抵抗素子Ｒ２の他端はノードＮＤ３を介して制御回路１４の入力端子（ＢＬＫ）、および定電圧ダイオードＺ２のカソードに接続されている。定電圧ダイオードＺ２のアノードは、基準電位に接続されている。
【００１３】
ノードＮＤ２はｎｐｎ型トランジスタＴｒ１のコレクタ、および抵抗素子Ｒ３の一端に接続され、抵抗素子Ｒ３の他端はノードＮＤ４を介してトランジスタＴｒ１のベース、および定電圧ダイオードＺ３のカソードに接続されている。トランジスタＴｒ１のエミッタは、ＦＥＴ電流制御用の抵抗素子Ｒ４を介して電界効果トランジスタＦＥＴのドレインに接続されている。
【００１４】
定電圧ダイオードＺ３のアノードは、ノードＮＤ５を介して定電圧ダイオードＺ４のカソードに接続されている。定電圧ダイオードＺ４のアノードは基準電位に接続されている。
また、ノードＮＤ５は、抵抗素子Ｒ５の一端およびｐｎｐ型トランジスタＴｒ２のエミッタに接続されている。トランジスタＴｒ２のコレクタは基準電位に接続されている。抵抗素子Ｒ５の他端はノードＮＤ６を介してトランジスタＴｒ２のベース、および抵抗素子Ｒ６の一端に接続されている。
抵抗素子Ｒ６の他端はノードＮＤ７を介してライト信号入力端子（ＴＬＩＧ３）に接続されている。
【００１５】
ライト信号入力端子（ＴＬＩＧ３）は、ノードＮＤ７を介して抵抗素子Ｒ７の一端および抵抗素子Ｒ８の一端に接続されている。抵抗素子Ｒ８の他端は基準電位に接続されている。
抵抗素子Ｒ７の他端は、ノードＮＤ８を介して定電圧ダイオードＺ５のカソードおよび制御回路１４のグリッドデューティ選択端子（ＤＩＭ）に接続されている。定電圧ダイオードＺ５のアノードは基準電位に接続されている。
【００１６】
基準電位接続端子（ＴＧＮＤ４）は、基準電位に接続されている。
【００１７】
制御回路１４にはグリッド信号線ＬＧＲ１の一端が接続され、グリッド信号線ＬＧＲ１の他端は蛍光表示管１３の第１のグリッド電極１３２１に接続されている。
また、制御回路１４にはグリッド信号線ＬＧＲ２の一端が接続され、グリッド信号線ＬＧＲ２の他端は蛍光表示管１３の第２のグリッド電極１３２２に接続されている。
【００１８】
また、制御回路１４には、アノード信号線ＬＡＤの一端が接続され、アノード信号線ＬＡＤの他端は蛍光表示管１３のアノード電極１３３に接続されている。
【００１９】
また、グリッド信号線ＬＧＲ１は、ノードＮＤ９を介して抵抗素子Ｒ９の一端、およびダイオードＤ１のカソードに接続されている。
抵抗素子Ｒ９の他端は、ノードＮＤ１０を介してダイオードＤ１のアノード、およびキャパシタＣ１の第１の電極に接続されている。キャパシタＣ１の第２の電極は基準電位に接続されている。
【００２０】
また、ノードＮＤ１０には抵抗素子Ｒ１０の一端、および抵抗素子Ｒ１１の一端が接続されている。抵抗素子Ｒ１０の他端は基準電位に接続されている。抵抗素子Ｒ１１の他端は、ｎｐｎ型トランジスタＴｒ３のベースに接続されている。トランジスタＴｒ３のエミッタは基準電位に接続されている。
トランジスタＴｒ３のコレクタは、ノードＮＤ１１を介してｎｐｎ型トランジスタＴｒ４のベースおよび抵抗素子Ｒ１２の一端に接続され、抵抗素子Ｒ１２の他端は電源電圧ＶＤＤに接続されている。
トランジスタＴｒ４のエミッタは基準電位に接続されている。トランジスタＴｒ４のコレクタは、ノードＮＤ１２を介して抵抗素子Ｒ１３の一端およびダイオードＤ２のアノードに接続されている。抵抗素子Ｒ１３の他端は電源電圧（ＶＤＤ）に接続されている。ダイオードＤ２のカソードはノードＮＤ１３に接続されている。
【００２１】
また、グリッド信号線ＬＧＲ２は、ノードＮＤ１４を介して抵抗素子Ｒ１４の一端、およびダイオードＤ３のカソードに接続されている。
抵抗素子Ｒ１４の他端は、ノードＮＤ１５を介してダイオードＤ３のアノード、およびキャパシタＣ２の第１の電極に接続されている。キャパシタＣ２の第２の電極は基準電位に接続されている。
【００２２】
また、ノードＮＤ１５には抵抗素子Ｒ１５の一端、および抵抗素子Ｒ１６の一端が接続されている。抵抗素子Ｒ１５の他端は基準電位に接続されている。抵抗素子Ｒ１６の他端は、ｎｐｎ型トランジスタＴｒ５のベースに接続されている。トランジスタＴｒ５のエミッタは基準電位に接続されている。
トランジスタＴｒ５のコレクタは、ノードＮＤ１６を介してｎｐｎ型トランジスタＴｒ６のベースおよび抵抗素子Ｒ１７の一端に接続され、抵抗素子Ｒ１７の他端は電源電圧ＶＤＤに接続されている。
トランジスタＴｒ６のエミッタは基準電位に接続されている。トランジスタＴｒ６のコレクタは、ノードＮＤ１７を介して抵抗素子Ｒ１８の一端およびダイオードＤ４のアノードに接続されている。抵抗素子Ｒ１８の他端は電源電圧（ＶＤＤ）に接続されている。ダイオードＤ４のカソードはノードＮＤ１３に接続されている。
【００２３】
ノードＮＤ１３には、抵抗素子Ｒ１９の一端、および抵抗素子Ｒ２０の一端が接続され、抵抗素子Ｒ１９の他端は基準電位に接続されている。抵抗素子Ｒ２０の他端はＮチャネル型電界効果トランジスタ（ＦＥＴ）のゲートに接続されている。
【００２４】
電界効果トランジスタＦＥＴのソースは、蛍光表示管１３のフィラメント１３１に接続されている。
【００２５】
電源端子（ＴＢＡＴ１）には、たとえば、車両に内蔵されたバッテリによる電源電圧（たとえば１２Ｖ）が印加される。
【００２６】
アクセサリ信号入力端子（ＴＡＣＣ２）には、たとえば、車両のエンジンキーを「ＡＣＣ」の位置まで回した場合にハイレベルのアクセサリ信号（ＡＣＣ）が印加され、エンジンキーがそれよりも前の位置（オフ状態）ではローレベルのアクセサリ信号（ＡＣＣ）が印加される。
つまり一般的な車両では、少なくともエンジン駆動時にはアクセサリ信号入力端子（ＴＡＣＣ２）には、ハイレベルのアクセサリ信号が印加される。
ライト信号入力端子（ＴＬＩＧ３）には、たとえば車両に備えられたライトが点灯時に、ハイレベルのライト信号（ＬＩＧ）が印加され、ライト消灯時にはローレベルのライト信号（ＬＩＧ）が印加される。
【００２７】
発振部１１は、たとえば発振器が生成する発振信号を制御回路１４に出力する。制御回路１４は発振部１１から受信した発振信号を基に時刻情報を計時し、その時刻情報を基に時刻表示用の制御信号ＣＴＬ１３を蛍光表示管１３に出力する。
【００２８】
発振部１１は、詳細にはたとえば図１に示すように、キャパシタＣ３，Ｃ４、および水晶発振器ＣＲＹを有する。
発振部１１のキャパシタＣ３の第１の電極は、水晶発振器ＣＲＹの第１の端子、および制御回路１４の入力端子（ＸＴ１）に接続されている。キャパシタＣ４の第１の電極は、水晶発振器ＣＲＹの第２の端子、および制御回路１４の入力端子（ＸＴ２）に接続されている。
キャパシタＣ３の第２の電極はキャパシタＣ４の第２の電極に接続されている。
発振部１１は、水晶発振器ＣＲＹによる発振信号を、制御回路１４の入力端子（ＸＴ１）および入力端子（ＸＴ２）に出力する。
【００２９】
スイッチ群１２は、たとえば時刻修正時に操作されるスイッチを有する。たとえばユーザによるスイッチの操作に応じた信号を制御回路１４に出力する。制御回路１４は、スイッチ群１２による信号を受けて、内部時計が計時する時刻情報を修正する。
【００３０】
スイッチ群１２は、詳細にはたとえば図１に示すように、時情報修正スイッチＳＷ１、および分情報修正スイッチＳＷ２を有する。
時情報修正スイッチＳＷ１の一端は制御回路１４の時情報修正信号入力端子（ＨＳ）に接続され、時情報修正スイッチＳＷ１の他端は基準電位に接続されている。
分情報修正スイッチＳＷ２の一端は制御回路１４の分秒情報修正信号入力端子（ＭＳ）に接続され、分情報修正スイッチＳＷ２の他端は基準電位に接続されている。
また、制御回路１４の電源端子（ＶＳＳ）は、基準電位、時情報修正スイッチＳＷ１の他端、および分情報修正スイッチＳＷ２の他端に接続されている。
【００３１】
時情報修正スイッチＳＷ１は、時情報修正時に操作される。制御回路１４は、たとえば入力端子（ＨＳ）の信号レベルが所定レベルから基準電位に遷移した場合に、時情報修正スイッチＳＷ１が操作されたと判断して、操作に応じて時情報を修正する。
【００３２】
分情報修正スイッチＳＷ２は、分情報修正時に操作される。制御回路１４は、たとえば入力端子（ＭＳ）の信号レベルが所定レベルから基準電位に遷移したなった場合に、分情報修正スイッチＳＷ２が操作されたと判断して、その操作に応じて分時情報を修正する。
【００３３】
蛍光表示管１３は、たとえばダイレクト駆動方式による平板型の表示電子管であり、制御回路１４からの制御信号を受けて時刻表示を行う。
【００３４】
図２は、図１に示した表示装置１の蛍光表示管１３を説明するための図である。
蛍光表示管１３は、たとえば図２に示すように、フィラメント１３１、グリッド電極１３２、およびアノード電極１３３を有する。
フィラメント１３１は、本発明に係るカソード電極に相当し、たとえば、ストロンチウム、バリウム、カルシウムなどの酸化物がコーティングされたタングステンフィラメントにより構成される。
フィラメント１３１に所定の電流が流れるとフィラメント１３１が発熱して熱電子が放出される。
【００３５】
グリッド電極１３２は、たとえば後述するようにフィラメント１３１とグリッド電極１３２間に所定電圧が印加されと、フィラメント１３１から放出された熱電子を、選択および拡散してその熱電子をアノード電極１３３に到達させる。たとえば図２に示すように、グリッド電極１３２は、網目形状に形成されている。
【００３６】
本実施形態に係るグリッド電極１３２は、たとえば図２に示すように、第１のグリッド電極１３２１、および第２のグリッド電極１３２２を有する。
また、アノード電極１３３は、第１のアノード電極１３３１、および第２のアノード電極１３３２を有する。
たとえば、図２に示すように、第１および第２のアノード電極１３３１，１３３２が並列に形成され、第１および第２のグリッド電極１３２１，１３２２が並列に形成されている。またたとえばアノード電極１３３１，１３３２は同一平面上形成され、グリッド電極１３２１，１３２２は同一平面上に形成されている。第１のグリッド電極１３２１は、第１のアノード電極１３３１とフィラメント１３１の間に配置され、第２のグリッド電極１３２２は第２のアノード電極１３３２とフィラメント１３１の間に配置されている。
【００３７】
第１のグリッド電極１３２１は、グリッド信号線ＬＧＲ１に接続されている。第２のグリッド電極１３２２は、グリッド信号線ＬＧＲ２に接続されている。
【００３８】
アノード電極１３３（１３３１，１３３２）は、たとえば図２に示すように、時刻表示を行うために複数のセグメントが形成されている。アノード電極１３３（１３３１，１３３２）において、各セグメントは、制御回路１４のセグメント端子ＳＧ１，ＳＧ２，…，ＳＧＮそれぞれに接続されている。
たとえば簡潔に説明するために、図２に示すようにアノード電極１３３（１３３１，１３３２）の各セグメントにはセグメント端子ＳＧ１，ＳＧ２，…，ＳＧ７それぞれに共通に接続されている。つまり、蛍光表示管１３の内部では、グリッド電極１３２（１３２１，１３２２）それぞれにより表示制御される、アノード電極１３３（１３３１，１３３２）の各セグメントは共通配線により接続されている。
制御回路１４は、蛍光表示管１３の各セグメントに対応するアノード電極１３３に、時刻情報に応じたハイレベルまたはローレベルの電圧を印加する。
アノード電極１３３の表面付近には蛍光体（ＦＬＵ）が形成されており、フィラメント１３１から放出された熱電子が蛍光体（ＦＬＵ）に到達すると、蛍光体（ＦＬＵ）が発光する。こうすることで時刻表示を行う。
【００３９】
また、制御回路１４は、グリッド信号に印加する電圧を制御することにより、カソードに相当するフィラメント１３１からアノード電極１３３に到達する熱電子の個数や速度を制御し、その結果、蛍光体（ＦＬＵ）による発光の輝度や発光のオン状態またはオフ状態を制御する。つまり制御回路１４は、蛍光表示管１３の輝度や発光のオン状態またはオフ状態を制御する。
【００４０】
蛍光表示管１３の駆動方式には、デューティ駆動方式やスタティック駆動方式、ダイナミック駆動方式がある。本実施形態では表示装置１はダイナミック駆動方式を採用する。
【００４１】
図３は、図１に示した表示装置１を採用した車載用表示装置の一具体例を説明するための図である。
たとえば図３に示すように、表示装置１は、正面上部に時刻表示を行う蛍光表示管１３が形成されている。図に向かって蛍光表示管１３の右部には、時情報修正スイッチＳＷ１が形成され、その下部に分情報修正スイッチＳＷ２が形成されている。
【００４２】
蛍光表示管１３は、たとえば図３に示すように、４つのアノード電極１３３により構成され、セグメント共通配線ａとセグメント共通配線ｄが接続され、セグメント共通配線ｂとセグメント共通配線ｃが接続されている。
【００４３】
蛍光表示管１３の下部には、たとえば図３に示すように、車両に備えられた装置を操作するための操作入力装置と車両に備えられた装置の状態を表示する装置表示部とを有する操作表示部１８が形成されている。
【００４４】
操作表示部１８は、詳細にはたとえば図３に示すように、温度調整スイッチ１８１、風量調整スイッチ１８２、エアコン（Ａ／Ｃ）スイッチ１８３、温度表示部１８４、エアバック状態表示部１８５、およびシートベルト装着状態表示部１８６などを有する。
【００４５】
温度調整スイッチ１８１は、たとえば、車両に設けたれた空調装置による車両内部の設定温度を設定する際に操作される。制御回路１４は、温度調整スイッチ１８１による操作に応じて空調装置の設定温度を制御する。
【００４６】
風量調整スイッチ１８２は、たとえば、車両に設けたれた空調装置による風量を設定する際に操作される。制御回路１４は、風量調整スイッチ１８２による操作に応じて空調装置の風量を制御する。
【００４７】
エアコン（Ａ／Ｃ）スイッチ１８３は、たとえば車両に設けられた空調装置に含まれる冷房装置のオン状態またはオフ状態を切り替える際に操作される。制御回路１４は、エアコン（Ａ／Ｃ）スイッチ１８３の操作に応じて冷房装置のオン状態またはオフ状態を切り替える。
温度表示部１８４は、たとえば車両の室内の温度を検出する温度センサによる信号を基に、室内温度を表示する。
エアバック状態表示部１８５は、たとえば車両に備えられた乗員安全装置であるエアバッグが備えられている際に点灯する表示部である。
シートベルト装着状態表示部１８６は、たとえば車両に備えられた乗員安全装置であるシードベルトが適正に装着されている場合に点灯する表示部である。
【００４８】
スイッチ群１２、蛍光表示管１３、操作表示部１８の近傍には、各種構成要素を照らすための発光素子１６が設けられている。
【００４９】
詳細には、蛍光表示管１３の図に向かって左部、およびスイッチ群１２の右部には、蛍光表示管１３やスイッチ群１２を照らすための発光素子１６が設けられている。また、操作表示部１８の温度調整スイッチ１８１からシートベルト装着状態表示部１８６の近傍に、発光素子１６が設けられている。
本実施形態に係る制御回路１４は、たとえばライト点灯時に、蛍光表示管１３へのグリッド信号に基づいて発光素子１６の発光による輝度を制御することによりスイッチ群１２や、蛍光表示管１３、および操作表示部１８などへの照明の輝度を制御する。
【００５０】
以下、制御回路１４の機能を説明する。
制御回路１４は、たとえばプログラムを実行することにより、装置の各構成要素を統括的に制御する。
制御回路１４は、たとえば内部時計を有し、上述したように発振部１１による発振信号に基づいて内部時計の計時を行う。
【００５１】
制御回路１４は、たとえば分周カウンタ、輝度調整回路、セグメント・グリッドデコーダ、ＶＦＤドライバなどの機能を有する。たとえばそれらの機能を有する回路が１チップに集積化されている。
【００５２】
分周カウンタは、たとえば発振部１１からの信号を分周する。制御回路１４はその分周された信号を基に、たとえば内部時計による計時や、各種動作を同期して行う。
【００５３】
輝度調整回路は、たとえばアクセサリ信号ＡＣＣ入力時に、ライト信号入力端子（ＴＬＩＧ３）から入力されるライト信号（ＬＩＧ）のレベルに応じて、蛍光表示管１３のグリッド電極１３２（１３２１，１３２２）に印加するグリッド信号ＧＲ１，ＧＲ２のデューティ比を制御することで、蛍光表示管１３による発光の輝度を制御する。
【００５４】
セグメント・グリッドデコーダは、たとえば、内部時計により計時される時刻情報に応じたレベルの信号を複数のアノード電極１３３それぞれに出力し、ライト信号入力端子（ＴＬＩＧ３）に入力されたライト信号（ＬＩＧ）に応じて、グリッド電極１３２に出力するグリッド信号のレベルのデューティ制御を行う。
ＶＦＤドライバは、たとえば、蛍光表示管１３に出力する信号を制御するソフトウェアである。
【００５５】
フィラメント駆動制御部１５は、制御回路１４から出力されたグリッド信号ＧＲ１（ＧＲ２）に基づいて、蛍光表示管１３のフィラメント（カソード電極）１３１に出力する駆動パルス信号Ｓ１３１のパルス制御を行う。
【００５６】
また、フィラメント駆動制御部１５は、電界効果トランジスタＦＥＴ（スイッチ）、パルスレベル制御部１５１、およびパルス幅設定部１５２を有する。
電界効果トランジスタＦＥＴ（スイッチ）は、上述したように設定電圧（電源電圧）とフィラメント（カソード電極）との間に設けられ、フィラメント（カソード電極１３１）に接続されている。
パルスレベル制御部１５１は、ライト信号（ＬＩＧ）のレベルに基づいて、電界効果トランジスタＦＥＴを介して、フィラメント（カソード電極）１３１に出力するカソード駆動パルス信号Ｓ１３１のレベルを制御する。
パルスレベル制御部１５１は、たとえば上述したようにトランジスタＴｒ１，Ｔｒ２、定電圧ダイオードＺ３，Ｚ４、抵抗素子Ｒ３，Ｒ５，Ｒ６などにより構成される。
【００５７】
また、パルス幅設定部１５２は、グリッド信号ＧＲ１，ＧＲ２のパルス幅に基づいて電界効果トランジスタＦＥＴを制御して、フィラメント（カソード電極）１３１に出力するカソード駆動パルス信号Ｓ１３１のパルス幅を制御する。
パルス幅設定部１５２は、たとえば上述したように抵抗素子Ｒ９〜Ｒ２０，トランジスタＴｒ３〜Ｔｒ６，キャパシタＣ１，Ｃ２などにより構成される。
【００５８】
図４は、図１に示した表示装置１の動作を説明するためのタイミングチャートである。
図４（ａ）は第１のグリッド信号線ＧＲ１のレベルを示す図である。図４（ｂ）は第２のグリッド線ＧＲ２のレベルを示す図である。
図４（ｃ）はノードＮＤ１０（ａ点）のレベルを示す図である。図４（ｄ）はノードＮＤ１５（ｂ点）のレベルを示す図である。
図４（ｅ）はノードＮＤ１２（ｃ点）のレベルを示す図である。図４（ｆ）はノードＮＤ１７（ｄ点）のレベルを示す図である。
図４（ｇ）はトランジスタＴｒ１のエミッタ（ｅ点）のレベルを示す図である。図４（ｈ）はライト信号入力端子（ＴＬＩＧ３）に入力されるライト信号（ＬＩＧ）のレベルを示す図である。図４（ｉ）は電界効果トランジスタＦＥＴのソース電圧のレベルを示す図である。
【００５９】
図４（ａ）〜（ｉ）を参照しながら、表示装置１の動作を制御回路１４の動作を中心に説明する。
【００６０】
電源端子（ＴＢＡＴ１）から、たとえば１２（ボルト）の電源電圧（ＢＡＴ）が印加され、定電圧ダイオードＺ１の機能により、一定電圧が制御回路１４の電源入力端子（ＶＣＣ）に印加される。
【００６１】
〔ＬＩＧ：ローレベル，ＡＣＣ：ローレベル〕
初期状態では、各端子の信号はローレベルである。
このため、アクセサリ信号入力端子（ＴＡＣＣ２）にローレベルのアクセサリ信号（ＡＣＣ）が入力されているので、フィラメント１３１には駆動電流が印加されていない（消灯）。
【００６２】
〔ＬＩＧ：ローレベル，ＡＣＣ：ハイレベル〕
たとえばエンジン起動時に、アクセサリ信号入力端子（ＴＡＣＣ２）にハイレベル（たとえば１２Ｖ）のアクセサリ信号（ＡＣＣ）が印加されると、制御回路１４の入力端子（ＸＢＬＡＮＫ）に、ハイレベルのアクセサリ信号（ＡＣＣ）が入力される。制御回路１４は、入力端子（ＸＢＬＡＮＫ）に、ハイレベルのアクセサリ信号（ＡＣＣ）が入力されると、活性化状態（IN ACTIVE）となる。
制御回路１４は、活性化状態では、蛍光表示管１３の各セグメントに対応するアノード電極１３３に、時刻情報に応じてハイレベルまたはローレベルの信号を印加する。
【００６３】
また、活性化状態かつライト信号入力端子（ＴＬＩＧ３）に印加されるライト信号（ＬＩＧ）がローレベルの場合には、トランジスタＴｒ２はオン状態になり、トランジスタＴｒ１のエミッタには、図４（ｇ）に示すように定電圧ダイオードＺ３に応じた電流量の電流が通電し、抵抗素子Ｒ４を介して電界効果トランジスタＦＥＴのドレインに印加される。
【００６４】
また、活性化状態かつライト信号入力端子（ＴＬＩＧ３）に印加されるライト信号（ＬＩＧ）がローレベルの場合には、制御回路１４のグリッドデューティ選択端子（ＤＩＭ）に、抵抗素子Ｒ７を介して、ローレベルの信号が入力される。
【００６５】
制御回路１４は、グリッドデューティ選択端子（ＤＩＭ）のレベルがローレベルであると判断した場合には、図４（ａ），（ｂ）に示すように蛍光表示管１３の第１および第２のグリッド電極１３２１，１３２２に、第１のデューティ比のグリッド信号ＧＲ１，ＧＲ２を印加する。
後述するように、フィラメント１３１に駆動電流が印加されると、発熱したフィラメント１３１から出力された熱電子が、グリッド電極１３２を通過して、アノード電極１３３の近傍に形成された蛍光体（ＦＬＵ）に到達し、蛍光体（ＦＬＵ）が発光することにより、現時刻表示を行う。
【００６６】
また、この際、デューティ比ＤＴは、一周期でのハイレベルの時間ＴＨおよびローレベルの時間ＴＬにより、たとえば数式（１）に示すように表される。
【００６７】
[数１]
ＤＴ ＝ ＴＨ ／ （ＴＨ＋ＴＬ）    …（１）
【００６８】
上述した状態では、グリッド信号ＧＲ１，ＧＲ２それぞれのデューティ比ＤＴは５０％である。
また図４（ａ），（ｂ）に示すように、上述した状態で制御回路１４は、互いに逆位相の信号レベルのグリッド信号ＧＲ１，ＧＲ２を蛍光表示管１３に出力する。
また、本実施形態では、アノード電極１３３に印加する信号がハイレベルの場合にはＶＣＣ電圧であり、ローレベルの場合にはＶＳＳ電圧（基準電位）である。
【００６９】
以下、より詳細に動作を説明する。
図４（ａ）に示すように、グリッド信号ＧＲ１がローレベルからハイレベルに設定されると、抵抗素子Ｒ９を介してキャパシタＣ１に電荷が保持され、そのキャパシタＣ１のキャパシタンスにより規定される時定数により、図４（ｃ）に示すようにノードＮＤ１０（ａ点）のレベルが高くなる。
そして、ノードＮＤ１０（ａ点）のレベルが、抵抗素子Ｒ９，Ｒ１０の分圧および抵抗素子Ｒ１１により設定されるトランジスタＴｒ３のオン電圧に達すると、トランジスタＴｒ３がオン状態になり、トランジスタＴｒ４はオフ状態になり、図４（ｅ）に示すように、ノードＮＤ１２（ｃ点）がハイレベルに設定される。
【００７０】
図４（ａ）に示すように、グリッド信号ＧＲ１がハイレベルからローレベルに設定されると、キャパシタＣ１に保持された電荷がダイオードＤ１を介してグリッド線ＬＧＲ１に出力されて、図４（ｃ）に示すようにノードＮＤ１０（ａ点）が急激にローレベルに設定される。
【００７１】
そして、ノードＮＤ１０（ａ点）のレベルが、トランジスタＴｒ３のオン電圧より低くなると、トランジスタＴｒ３がオフ状態になり、トランジスタＴｒ４はオン状態になり、図４（ｅ）に示すように、ノードＮＤ１２（ｃ点）のレベルがローレベルに設定される。
【００７２】
一方、グリッド信号ＧＲ２においても同様に、図４（ｂ）に示すように、グリッド信号ＧＲ２がローレベルからハイレベルに設定されると、抵抗素子Ｒ１４を介してキャパシタＣ２に電荷が保持され、そのキャパシタＣ２のキャパシタンスにより決定される時定数により、図４（ｄ）に示すようにノードＮＤ１５（ｂ点）のレベルが高くなる。
そして、ノードＮＤ１５（ｂ点）のレベルが、抵抗素子Ｒ１４，Ｒ１５の分圧および抵抗素子Ｒ１６により設定されるトランジスタＴｒ５のオン電圧に達すると、トランジスタＴｒ５がオン状態になり、トランジスタＴｒ６はオフ状態になり、図４（ｆ）に示すように、ノードＮＤ１７（ｄ点）がハイレベルに設定される。
【００７３】
また、図４（ｂ）に示すように、グリッド信号ＧＲ２がハイレベルからローレベルに設定されると、キャパシタＣ２に保持された電荷がダイオードＤ２を介してグリッド線ＬＧＲ２に出力されて、図４（ｄ）に示すようにノードＮＤ１５（ｂ点）が急激にローレベルに設定される。
【００７４】
そして、ノードＮＤ１５（ｂ点）のレベルが、トランジスタＴｒ５のオン（オン）電圧より低くなると、トランジスタＴｒ５がオフ状態になり、トランジスタＴｒ６はオン状態になり、図４（ｆ）に示すように、ノードＮＤ１７（ｄ点）のレベルがローレベルに設定される。
【００７５】
ノードＮＤ１２（ｃ点）とノードＮＤ１７（ｄ点）の論理和演算を行うことにより、ノードＮＤ１２（ｃ点）とノードＮＤ１７（ｄ点）のいずれかのレベルが、たとえば抵抗素子Ｒ１９およびＲ２０により設定される分圧よりも大きいか否かにより、図４（ｉ）に示すように電解効果トランジスタＦＥＴのドレイン−ソース電流をパルス制御する。
【００７６】
そして、フィラメント１３１には、図４（ｉ）に示すようなレベルに応じたフィラメント駆動電流が印加される。
【００７７】
〔ＬＩＧ：ハイレベル，ＡＣＣ：ハイレベル〕
たとえば、車両のエンジン駆動時かつ車両のライト点灯時には、アクセサリ信号（ＡＣＣ）がハイレベルで、かつ図４（ｈ）に示すようにライト信号入力端子（ＴＬＩＧ３）にハイレベルのライト信号（ＬＩＧ）が印加される。
【００７８】
ライト信号入力端子（ＴＬＩＧ３）にハイレベルのライト信号（ＬＩＧ）が印加されると、グリッドデューティ選択端子（ＤＩＭ）にはハイレベルの信号が入力される。
制御回路１４は、グリッドデューティ選択端子（ＤＩＭ）がハイレベルであると判断すると、図４（ａ），（ｂ）に示すように、グリッド信号ＧＲ１，ＧＲ２のデューティ比を低減させることにより、蛍光表示管１３による発光の輝度を低減させる。
【００７９】
詳細には、図４（ａ），（ｂ）に示すようにグリッド信号ＧＲ１，ＧＲ２のデューティ比を、第１のデューティ比よりも低い第２のデューティ比に設定する。本実施形態では、図４（ａ），（ｂ）に示すようにグリッド信号ＧＲ１，ＧＲ２それぞれの第２のデューティ比は約１７％である。
【００８０】
また、上述したように図４（ｃ）〜（ｆ）に示すように、ＦＥＴグリッド信号ＧＲ１，ＧＲ２に応じてトランジスタＴｒ３〜Ｔｒ６などが動作して、図４（ｉ）に示すように電解効果トランジスタＦＥＴのドレイン−ソース電流がパルス制御される。
そして、フィラメント１３１には、図４（ｉ）に示すようなレベルに応じたデューティ比の小さなフィラメント駆動電流が印加される。
【００８１】
また、上述したようにライト信号がローレベルからハイレベルに設定された場合には、フィラメント１３１に印加されるフィラメント駆動電流のデューティ比が小さくなるので、そのデューティ比に応じてフィラメント１３１に供給する電力の平均値（所定期間の電力の平均値）を略一定とするために、フィラメント１３１への入力電圧のレベルを高く設定する。
【００８２】
詳細には、ライト信号入力端子（ＴＬＩＧ３）に印加されるライト信号（ＬＩＧ）がハイレベルの場合には、トランジスタＴｒ２はオフ状態になり、トランジスタＴｒ１のエミッタには、図４（ｇ）に示すように定電圧ダイオードＺ３および定電圧ダイオードＺ４に応じた電流量の電流が通電し、抵抗素子Ｒ４を介して電界効果トランジスタＦＥＴのドレインに印加される。
【００８３】
こうすることで、ライト信号（ＬＩＧ）がハイレベルまたはローレベルに設定された場合に、グリッド駆動パルス信号のデューティ比が変化した場合であっても、そのデューティ比に応じて、フィラメント１３１に供給するフィラメント駆動パルス信号のレベルを、フィラメント１３１に供給する電力量の平均値が略一定となるように制御するので、フィラメント１３１に供給する電力量の平均値が略一定となる。
つまり、フィラメント１３１に供給する電力量の平均値（所定期間の電力量の平均値）が略一定となることで、フィラメント１３１の発熱量が略一定となり、蛍光表示管１３が安定して所望の表示を行うことができる。
【００８４】
また、蛍光表示管のＡＣフィラメントに、駆動用パルス信号を生成することなく、フィラメント駆動が可能となる。
また、フィラメント駆動パルス信号は、グリッド駆動パルス信号を基に生成されているので、蛍光表示管１３の表示のチラツキ（ビート）が低減され、蛍光表示管１３は高品質の表示を行うことができる。
【００８５】
また、フィラメント駆動パルス信号は、グリッド駆動パルス信号を基に生成されているので、温度変化により、グリッド駆動パルス信号の周波数と、フィラメント駆動パルス信号の周波数のずれがないので、表示のチラツキがなく、高品質の表示を行うことができる。
【００８６】
つまり、アノード電極１３３、グリッド電極１３２、およびカソード電極（フィラメント１３１）を含む蛍光表示管１３と、蛍光表示管１３のグリッド電極１３２へ出力するグリッド信号ＧＲ１（ＧＲ２）のパルス制御を行う制御回路１４と、グリッド信号および蛍光表示管１３のフィラメント１３１に出力するフィラメント駆動信号Ｓ１３１のパルス制御を行うフィラメント駆動制御部１５とを設けたので、簡単な回路構成で、蛍光表示管による表示のチラツキを低減して高品質の表示を行うことができる表示装置を提供することができる。
【００８７】
また、フィラメント駆動制御部１５は、上述したように電界効果トランジスタＦＥＴ（スイッチ）と、ライト信号（ＬＩＧ）のレベルに基づいて、電界効果トランジスタＦＥＴを介してフィラメント（カソード電極）１３１に出力するカソード駆動パルス信号Ｓ１３１のレベルを制御するパルスレベル制御部１５１と、グリッド信号ＧＲ１，ＧＲ２のパルス幅に基づいて電界効果トランジスタＦＥＴを制御してフィラメント（カソード電極）１３１に出力するカソード駆動パルス信号Ｓ１３１のパルス幅を制御するパルス幅設定部１５２とを設けたので、簡単な回路構成で本発明に係る機能を実現することができる。
【００８８】
〔第２実施形態〕
図５は、本発明の第２実施形態に係る表示装置の回路図である。
【００８９】
本実施形態に係る表示装置１ａは、第１実施形態に係る表示装置１との大きな相違点は、フィラメント駆動制御部１５が電源電圧（ＶＤＤ）を基準として本発明に係る動作を行う点である。
具体的には、たとえば図５に示すように、表示装置１ａは、発振部１１、スイッチ群１２、蛍光表示管（ＶＦＤ：Vacuum Fluorescent Display）１３、制御回路１４、フィラメント駆動制御部１５ａ、電源入力端子（ＴＢＡＴ１）、アクセサリ信号入力端子（ＴＡＣＣ２）、ライト信号入力端子（ＴＬＩＧ３）、基準電位接続端子（ＴＧＮＤ４）、抵抗素子Ｒ１〜Ｒ３４、定電圧ダイオードＺ１〜Ｚ５、ダイオードＤ１，Ｄ２ａ，Ｄ３，Ｄ４ａ、トランジスタＴｒ１，Ｔｒ２ａ，Ｔｒ３，Ｔｒ５，Ｔｒ６、キャパシタＣ１〜Ｃ４、電界効果トランジスタ（ＦＥＴ）、および水晶発振器ＣＲＹを有する。
【００９０】
まず、本実施形態に係る表示装置１ａの各構成要素間の接続関係を、第１実施形態に係る表示装置１との相違点を中心に説明する。
【００９１】
電源入力端子（ＴＢＡＴ１）は抵抗素子Ｒ１の一端に接続され、抵抗素子Ｒ１の他端はノードＮＤ１を介して電源電圧（ＶＤＤ）、制御回路１４の電源入力端子（ＶＤＤ）、および電源定安定化用の定電圧ダイオードＺ１のカソードに接続されている。定電圧ダイオードＺ１のアノードは基準電位に接続されている。
【００９２】
ノードＮＤ２はｎｐｎ型トランジスタＴｒ１のコレクタ、および抵抗素子Ｒ３の一端に接続され、抵抗素子Ｒ３の他端はノードＮＤ４を介してトランジスタＴｒ１のベース、および定電圧ダイオードＺ３のカソードに接続されている。トランジスタＴｒ１のエミッタは、ＦＥＴ電流制御用の抵抗素子Ｒ４を介して電界効果トランジスタＦＥＴのドレインに接続されている。
【００９３】
定電圧ダイオードＺ３のアノードは、ノードＮＤ５を介して定電圧ダイオードＺ４のカソードに接続されている。定電圧ダイオードＺ４のアノードは基準電位に接続されている。
また、ノードＮＤ５は、抵抗素子Ｒ５の一端およびｎｐｎトランジスタＴｒ２ａのコレクタに接続されている。トランジスタＴｒ２ａのエミッタは基準電位に接続されている。抵抗素子Ｒ５の他端はノードＮＤ６を介してトランジスタＴｒ２ａのベース、および抵抗素子Ｒ６の一端に接続されている。
抵抗素子Ｒ６の他端はノードＮＤ７を介してライト信号入力端子（ＴＬＩＧ３）に接続されている。
【００９４】
ライト信号入力端子（ＴＬＩＧ３）は、ノードＮＤ７を介して抵抗素子Ｒ７の一端および抵抗素子Ｒ８の一端に接続されている。抵抗素子Ｒ８の他端は基準電位に接続されている。
抵抗素子Ｒ７の他端は、ノードＮＤ８を介して定電圧ダイオードＺ５のカソードおよび制御回路１４のグリッドデューティ選択端子（ＤＩＭ）に接続されている。定電圧ダイオードＺ５のアノードは基準電位に接続されている。
【００９５】
基準電位接続端子（ＴＧＮＤ４）は、基準電位に接続されている。
【００９６】
制御回路１４にはグリッド信号線ＬＧＲ１の一端が接続され、グリッド信号線ＬＧＲ１の他端は蛍光表示管１３の第１のグリッド電極１３２１に接続されている。
また、制御回路１４にはグリッド信号線ＬＧＲ２の一端が接続され、グリッド信号線ＬＧＲ２の他端は蛍光表示管１３の第２のグリッド電極１３２２に接続されている。
【００９７】
また、制御回路１４には、アノード信号線ＬＡＤの一端が接続され、アノード信号線ＬＡＤの他端は蛍光表示管１３のアノード電極１３３に接続されている。
【００９８】
また、グリッド信号線ＬＧＲ１は、ノードＮＤ９を介して抵抗素子Ｒ９の一端、およびダイオードＤ１のカソードに接続されている。
抵抗素子Ｒ９の他端は、ノードＮＤ１０を介してダイオードＤ１のアノード、およびキャパシタＣ１の第１の電極に接続されている。キャパシタＣ１の第２の電極は基準電位に接続されている。
【００９９】
また、ノードＮＤ１０には抵抗素子Ｒ１０の一端、および抵抗素子Ｒ１１の一端が接続されている。抵抗素子Ｒ１０の他端は基準電位に接続されている。抵抗素子Ｒ１１の他端は、ｎｐｎ型トランジスタＴｒ３のベースに接続されている。トランジスタＴｒ３のエミッタは基準電位に接続されている。
トランジスタＴｒ３のコレクタは、ノードＮＤ１１（Ｃ点）を介して電源電圧（ＶＤＤ）およびダイオードＤ２ａのカソードに接続され、ダイオードＤ２ａのアノードはノードＮＤ１３に接続されている。
【０１００】
また、グリッド信号線ＬＧＲ１は、ノードＮＤ９を介して抵抗素子Ｒ３０の一端に接続され、抵抗素子Ｒ３０の他端はｎｐｎ型トランジスタＴｒ１５のベースに接続されている。
トランジスタＴｒ５のエミッタは基準電位に接続されている。トランジスタＴｒ５のコレクタは、ノードＮＤ１６を介してキャパシタＣ５の第１の電極、抵抗素子Ｒ３１の一端、および抵抗素子Ｒ３２の一端に接続されている。
キャパシタＣ５の第２の電極、および抵抗素子Ｒ３１の他端は基準電位に接続されている。
抵抗素子Ｒ３２の他端は、ｎｐｎ型トランジスタＴｒ６のベースに接続されている。トランジスタＴｒ６のエミッタは基準電位に接続されている。トランジスタＴｒ６のコレクタは、ノードＮＤ１７を介して抵抗素子Ｒ３３の一端およびダイオードＤ４ａのカソードに接続されている。ダイオードＤ４ａのアノードはノードＮＤ１３に接続されている。また、抵抗素子Ｒ３３の他端は電源電圧（ＶＤＤ）に接続されている。
【０１０１】
ノードＮＤ１３には、抵抗素子Ｒ３４の一端、および抵抗素子Ｒ２０の一端が接続され、抵抗素子Ｒ３４の他端は電源電圧（ＶＤＤ）に接続されている。抵抗素子Ｒ２０の他端は、Ｎチャネル型電界効果トランジスタ（ＦＥＴ）のゲートに接続されている。
電界効果トランジスタＦＥＴのソースは、蛍光表示管１３のフィラメント１３１に接続されている。
【０１０２】
電源端子（ＴＢＡＴ１）には、たとえば、車両に内蔵されたバッテリによる電源電圧（たとえば１２Ｖ）が印加される。
【０１０３】
アクセサリ信号入力端子（ＴＡＣＣ２）には、たとえば、車両のエンジンキーを「ＡＣＣ」の位置まで回した場合にハイレベルのアクセサリ信号（ＡＣＣ）が印加され、エンジンキーがそれよりも前の位置（オフ状態）ではローレベルのアクセサリ信号（ＡＣＣ）が印加される。
つまり一般的な車両では、少なくともエンジン駆動時にはアクセサリ信号入力端子（ＴＡＣＣ２）には、ハイレベルのアクセサリ信号が印加される。
ライト信号入力端子（ＴＬＩＧ３）には、たとえば車両に備えられたライトが点灯時に、ハイレベルのライト信号（ＬＩＧ）が印加され、ライト消灯時にはローレベルのライト信号（ＬＩＧ）が印加される。
【０１０４】
フィラメント駆動制御部１５ａは、制御回路１４から出力されたグリッド信号ＧＲ１（ＧＲ２）に基づいて、蛍光表示管１３のフィラメント（カソード電極）１３１に出力する駆動パルス信号Ｓ１３１のパルス制御を行う。
【０１０５】
図６は、図５に示した表示装置１ａの動作を説明するためのタイミングチャートである。
図６（ａ）はグリッド信号線ＧＲ１のレベルを示す図である。
図６（ｃ）はノードＮＤ１０（ａ点）のレベルを示す図である。図６（ｄ）はノードＮＤ１５（ｂ点）のレベルを示す図である。
図６（ｅ）はノードＮＤ１２（ｃ点）のレベルを示す図である。図６（ｆ）はノードＮＤ１７（ｄ点）のレベルを示す図である。
図６（ｇ）はトランジスタＴｒ１のエミッタ（ｅ点）のレベルを示す図である。図６（ｈ）はライト信号入力端子（ＴＬＩＧ３）に入力されるライト信号（ＬＩＧ）のレベルを示す図である。図６（ｉ）は電界効果トランジスタＦＥＴのソース電圧のレベルを示す図である。
【０１０６】
図６（ａ），（ｃ）〜（ｉ）を参照しながら、表示装置１ａの動作を、第１実施形態に係る表示装置１の動作との相違点を中心に説明する。
【０１０７】
電源端子（ＴＢＡＴ）から、たとえば１２（ボルト）の電源電圧（ＢＡＴ）が印加され、定電圧ダイオードＺ１の機能により、一定電圧が制御回路１４の電源入力端子（ＶＣＣ）に印加される。
【０１０８】
〔ＬＩＧ：ローレベル，ＡＣＣ：ローレベル〕
初期状態では、各端子の信号はローレベルである。
このため、アクセサリ信号入力端子（ＴＡＣＣ２）にローレベルのアクセサリ信号（ＡＣＣ）が入力されているので、フィラメント１３１には駆動電流が印加されていない（消灯）。
【０１０９】
〔ＬＩＧ：ローレベル，ＡＣＣ：ハイレベル〕
たとえばエンジン起動時に、アクセサリ信号入力端子（ＴＡＣＣ２）にハイレベル（たとえば１２Ｖ）のアクセサリ信号（ＡＣＣ）が印加されると、制御回路１４の入力端子（ＸＢＬＡＮＫ）に、ハイレベルのアクセサリ信号（ＡＣＣ）が入力される。制御回路１４は、入力端子（ＸＢＬＡＮＫ）に、ハイレベルのアクセサリ信号（ＡＣＣ）が入力されると、活性化状態（IN ACTIVE）となる。
制御回路１４は、活性化状態では、蛍光表示管１３の各セグメントに対応するアノード電極１３３に、時刻情報に応じてハイレベルまたはローレベルの信号を印加する。
【０１１０】
また、活性化状態かつライト信号入力端子（ＴＬＩＧ３）に印加されるライト信号（ＬＩＧ）がローレベルの場合には、トランジスタＴｒ２ａはオフ状態になり、トランジスタＴｒ１のエミッタには、図６（ｇ）に示すように定電圧ダイオードＺ３および定電圧ダイオードＺ４に応じた電流量の電流が通電し、抵抗素子Ｒ４を介して電界効果トランジスタＦＥＴのドレインに印加される。
【０１１１】
また、活性化状態かつライト信号入力端子（ＴＬＩＧ３）に印加されるライト信号（ＬＩＧ）がローレベルの場合には、制御回路１４のグリッドデューティ選択端子（ＤＩＭ）に、抵抗素子Ｒ７を介して、ローレベルの信号が入力される。
【０１１２】
制御回路１４は、グリッドデューティ選択端子（ＤＩＭ）のレベルがローレベルであると判断した場合には、図６（ａ），（ｂ）に示すように蛍光表示管１３の第１および第２のグリッド電極１３２１，１３２２に、第１のデューティ比のグリッド信号ＧＲ１，ＧＲ２を印加する。
そして、フィラメント１３１に駆動電流が印加されると、発熱したフィラメント１３１から出力された熱電子が、グリッド電極１３２を通過して、アノード電極１３３の近傍に形成された蛍光体（ＦＬＵ）に到達し、蛍光体（ＦＬＵ）が発光することにより、現時刻表示を行う。
【０１１３】
以下、より詳細に動作を説明する。
図６（ａ）に示すように、グリッド信号ＧＲ１がローレベルからハイレベルに設定されると、抵抗素子Ｒ９を介してキャパシタＣ１に電荷が保持され、そのキャパシタＣ１のキャパシタンスにより決定される時定数により、図６（ｃ）に示すようにノードＮＤ１０（ａ点）のレベルが高くなる。
そして、ノードＮＤＮ１０（ａ点）のレベルが、抵抗素子Ｒ１０，Ｒ１１の分圧により設定されるトランジスタＴｒ３のオン電圧に達すると、トランジスタＴｒ３がオン状態になり、トランジスタＴｒ４はオフ状態になり、図６（ｅ）に示すように、ノードＮＤ１１（Ｃ点）がローレベルに設定される。
【０１１４】
図６（ａ）に示すように、グリッド信号ＧＲ１がハイレベルからローレベルに設定されると、キャパシタＣ１に保持された電荷がダイオードＤ１を介してグリッド線ＬＧＲ１に出力されて、図６（ｃ）に示すようにノードＮＤ１０（ａ点）が急激にローレベルに設定される。
【０１１５】
そして、ノードＮＤ１０（ａ点）のレベルが、トランジスタＴｒ３のオン（オン）電圧より低くなると、トランジスタＴｒ３がオフ状態になり、図６（ｅ）に示すように、ノードＮＤ１１（ｃ点）のレベルがハイレベルに設定される。
【０１１６】
一方、本実施形態では、グリッド信号線ＴＧＲ１に抵抗素子Ｒ３０を介してトランジスタＴｒ５のベースに接続されているので、図６（ｂ）に示すように、グリッド信号ＧＲ１がローレベルからハイレベルに設定されると、ノードＮＤ９（ｂ点）のレベルが、抵抗素子Ｒ３０により設定されるトランジスタＴｒ５のオン電圧に達すると、トランジスタＴｒ５がオン状態になり、図６（ｄ）に示すように、キャパシタＣ５に保持されている電荷が放電される。また、ノードＮＤ１６の電位がトランジスタＴｒ６のオン電圧より小さくなると、トランジスタＴｒ６はオフ状態になり、図６（ｆ）に示すように、ノードＮ１７（ｄ点）がハイレベルに設定される。
【０１１７】
また、図６（ｂ）に示すように、グリッド信号ＧＲ１がハイレベルからローレベルに設定されると、トランジスタＴｒ５のオフ状態になり、キャパシタＣ５のキャパシタンスにより決定される時定数により、キャパシタＣ５に電荷が保持されて、ノードＮＤ１６の電位が図６（ｄ）に示すように上がる。
【０１１８】
そして、ノードＮＤ１６（ｂ点）のレベルが、抵抗素子Ｒ１７，Ｒ３１の分圧および抵抗素子Ｒ３２で規定されるトランジスタＴｒ６のオン電圧よりも高くなると、トランジスタＴｒ６がオン状態になり、図６（ｆ）に示すようにノードＮＤ１７（ｄ点）のレベルがローレベルに設定される。
【０１１９】
ノードＮＤ１１（ｃ点）とノードＮＤ１７（ｄ点）の論理和演算を行うことにより、ノードＮＤ１１（ｃ点）とノードＮＤ１７（ｄ点）のいずれかのレベルが、たとえば抵抗素子Ｒ３４から印加される電圧よりも大きいか否かにより、図６（ｉ）に示すように電解効果トランジスタＦＥＴのドレイン−ソース電流をパルス制御する。
【０１２０】
そして、フィラメント１３１には、図６（ｉ）に示すようなレベルに応じたフィラメント駆動電流が印加される。
【０１２１】
〔ＬＩＧ：ハイレベル，ＡＣＣ：ハイレベル〕
たとえば、車両のエンジン駆動時かつ車両のライト点灯時には、アクセサリ信号（ＡＣＣ）がハイレベルで、かつ図６（ｈ）に示すようにライト信号入力端子（ＴＬＩＧ３）にハイレベルのライト信号（ＬＩＧ）が印加される。
【０１２２】
ライト信号入力端子（ＴＬＩＧ３）にハイレベルのライト信号（ＬＩＧ）が印加されると、グリッドデューティ選択端子（ＤＩＭ）にはハイレベルの信号が入力される。
制御回路１４は、グリッドデューティ選択端子（ＤＩＭ）がハイレベルであると判断すると、図６（ａ）に示すように、グリッド信号ＧＲ１のデューティ比を低減させることにより、蛍光表示管１３による発光の輝度を低減させる。
【０１２３】
詳細には、図６（ａ）に示すようにグリッド信号ＧＲ１のデューティ比を、第１のデューティ比よりも低い第２のデューティ比に設定する。
【０１２４】
また、上述したように図６（ｃ）〜（ｆ）に示すように、ＦＥＴグリッド信号ＧＲ１に応じてトランジスタＴｒなどが動作して、図６（ｉ）に示すように電解効果トランジスタＦＥＴのドレイン−ソース電流がパルス制御される。
【０１２５】
そして、フィラメント１３１には、図６（ｉ）に示すようなレベルに応じたフィラメント駆動電流Ｓ１３１が印加される。
【０１２６】
また、上述したようにライト信号がローレベルまたはハイレベルに応じて、フィラメント１３１に印加されるフィラメント駆動電流のパルス制御が行われるが、フィラメント１３１に供給する電力の平均値を略一定とするために、フィラメント１３１への入力電圧のレベルを制御する。
【０１２７】
詳細には、ライト信号入力端子（ＴＬＩＧ３）に印加されるライト信号（ＬＩＧ）がハイレベルの場合には、トランジスタＴｒ２ａはオン状態になり、トランジスタＴｒ１のエミッタには、図６（ｇ）に示すように定電圧ダイオードＺ３に応じた電流量の電流が通電し、抵抗素子Ｒ４を介して電界効果トランジスタＦＥＴのドレインに印加される。
【０１２８】
こうすることで、ライト信号（ＬＩＧ）がハイレベルまたはローレベルに設定された場合に、グリッド駆動パルス信号のデューティ比が変化した場合であっても、そのデューティ比に応じて、フィラメント１３１に供給するフィラメント駆動パルス信号のレベルを、フィラメント１３１に供給する電力量の平均値が略一定となるように制御するので、フィラメント１３１に供給する電力量の平均値が略一定となる。
つまり、フィラメント１３１に供給する電力量の平均値が略一定となることで、フィラメント１３１の発熱量が略一定となり、蛍光表示管１３が安定して所望の表示を行うことができる。
【０１２９】
なお、本発明は本実施形態に限られるものではなく、任意好適な種々の変更が可能である。
上述した形態では車載用表示装置を説明したが、この形態に限られるものではない。
また、上述した実施形態の各構成要素は、電源電圧（ＶＤＤ）または基準電位を基準として動作してもよい。つまり本発明に係る機能を実現できれば、適宜各トランジスタに、ｎｐｎ型トランジスタ、ｐｎｐ型トランジスタ、Ｎチャネル型電界効果トランジスタＦＥＴ、またはＰチャネル型電界効果トランジスタＦＥＴを用いてよい。
【図面の簡単な説明】
【０１３０】
【図１】本発明の第１実施形態に係る表示装置の回路図である。
【図２】図１に示した表示装置１の蛍光表示管１３を説明するための図である。
【図３】図１に示した表示装置１を採用した車載用表示装置の一具体例を説明するための図である。
【図４】図１に示した表示装置１の動作を説明するためのタイミングチャートである。（ａ）は第１のグリッド信号線ＧＲ１のレベルを示す図である。図４（ｂ）は第２のグリッド線ＧＲ２のレベルを示す図である。（ｃ）はノードＮＤ１０（ａ点）のレベルを示す図である。（ｄ）はノードＮＤ１５（ｂ点）のレベルを示す図である。（ｅ）はノードＮＤ１２（ｃ点）のレベルを示す図である。（ｆ）はノードＮＤ１７（ｄ点）のレベルを示す図である。（ｇ）はトランジスタＴｒ１のエミッタ（ｅ点）のレベルを示す図である。（ｈ）はライト信号入力端子（ＴＬＩＧ３）に入力されるライト信号（ＬＩＧ）のレベルを示す図である。（ｉ）は電界効果トランジスタＦＥＴのソース電圧のレベルを示す図である。
【図５】本発明の第２実施形態に係る表示装置の回路図である。
【図６】図５に示した表示装置１ａの動作を説明するためのタイミングチャートである。（ａ）はグリッド信号線ＧＲ１のレベルを示す図である。（ｃ）はノードＮＤ１０（ａ点）のレベルを示す図である。（ｄ）はノードＮＤ１５（ｂ点）のレベルを示す図である。（ｅ）はノードＮＤ１２（ｃ点）のレベルを示す図である。（ｆ）はノードＮＤ１７（ｄ点）のレベルを示す図である。（ｇ）はトランジスタＴｒ１のエミッタ（ｅ点）のレベルを示す図である。（ｈ）はライト信号入力端子（ＴＬＩＧ３）に入力されるライト信号（ＬＩＧ）のレベルを示す図である。（ｉ）は電界効果トランジスタＦＥＴのソース電圧のレベルを示す図である。
【符号の説明】
【０１３１】
１…表示装置、１１…発振部、１２…スイッチ群、１３…蛍光表示管（ＶＦＤ）、１４…制御回路、１８…操作表示部、１３１…フィラメント（カソード）、１３２…グリッド電極、１３３…アノード電極、ＴＢＡＴ１…電源端子、ＴＡＣＣ２…アクセサリ信号入力端子、ＴＬＩＧ３…ライト信号入力端子、ＴＧＮＤ４…基準電位接続端子、ＣＲＹ…水晶発振器、ＦＥＴ…電界効果トランジスタ、ＳＷ１…時情報修正スイッチ、ＳＷ２…分情報修正スイッチ。
【図１】
2006171493.tif 000003
【図２】
2006171493.tif 000004
【図３】
2006171493.tif 000005
【図４】
2006171493.tif 000006
【図５】
2006171493.tif 000007
【図６】
2006171493.tif 000008